(57)【要約】  【課題】    近年多発している住宅等の不法侵入による盗難事件に対して、ドアーや窓等の適宜の位置に簡単に貼り付けて設置でき、また管理組合などの許可のもとで構造を変えるという手続も必要なく、簡単に設置できる防犯等の警告装置を提供することにある。  【解決手段】    薄いシート状のスピーカー２の表面側に防犯や警告、広告等の表示３等を表示するとともに、裏面側に両面装着テープ５または粘着剤を配設して、防犯が必要なドアーや窓等の建物の開閉部８や広告が必要な広告部等に貼り付けて設置するようにしたものである。特に、上記シート状のスピーカー２の裏面側にスポンジや発泡シートの通気性シート６を取り付けたり、空洞部を設けて貼り付けるようにするのが、スピーカー２の音量を増大でき、かつ音質も向上できて好ましい。【選択図】    図１
2005157947.tif 000002
【特許請求の範囲】
【請求項１】
薄いシート状のスピーカーの表面側に防犯や警告、広告の表示等を表示するとともに
、裏面側に両面装着テープまたは粘着剤を配設して防犯が必要なドアーや窓等の建物の開
閉部や広告が必要な広告部等に貼り付けて設置するようにしたことを特徴とするシート状
防犯等の警告装置。
【請求項２】
薄いシート状のスピーカーの裏面側にスポンジや発泡シートの通気性シートを取り付
けて建物の開閉部や広告板等の広告部等に貼り付けて設置するようにした請求項１に記載
のシート状防犯等の警告装置。
【請求項３】
薄いシート状のスピーカーの裏面側に所定の空洞部を設けて支持材を取り付けて建物
の開閉部や広告板等の広告部等に貼り付けて設置するようにした請求項１に記載のシート
状防犯等の警告装置。
【請求項４】
薄いスピーカーを多重状に配設した請求項１ないし３のいずれかに記載のシート状防
犯等の警告装置。
【請求項５】
ドアーや窓等の開閉部、広告部の標識等に検知センサーや感知センサー等のセンサー
を配設し、このセンサーの検出で上記スピーカーを作動してサイレン等の警報や音声等を
発生させるようにした請求項１ないし４のいずれかに記載のシシート状防犯等の警告装置
を提供するものである。
【発明の詳細な説明】
【技術分野】
【０００１】
本発明は、防犯分野や広告分野におけるシート状防犯等の警告装置に関するものであ
る。
【背景技術】
【０００２】
近年、マンションや住宅、オフィス等の事務所のドアーをピッキングして開けたり、
ガラス窓を割って内部に不法侵入して、貴重品や現金、通帳、パスポートなどを盗む盗難
事件が多くなっている。また、ときとして殺傷事件に至ることもある。
【０００３】
一部の住宅やオフィスでは、セキュリティシステムを導入して防犯対策を講じている
が、不法侵入者は短時間で侵入して逃亡するので、セキュリティシステムの実効がはかれ
ないことが多い。そのため、住民や所員らは市販されているいろいろな防犯装置を設置す
ることを考え、また実際に設置することも行われている。
【０００４】
そこで、防犯装置について特許調査をした結果、実用新案登録第３０１８４４４号公
報、再公表特許ＷＯ０１／０２２３７８号公報、特開２００３−１８７３３９号公報など
が検出された。
【０００５】
実用新案登録第３０１８４４４号公報は、窓等の内側の窓枠の中央付近の鍵フックの
下部等目立たないところに取り付け、外側と内側の窓をスライドすることによりできる空
間が共鳴体となることで、侵入者が不法侵入したことを知らせることを提案している。
【０００６】
再公表特許ＷＯ０１／０２２３７８号公報は、ガラスの片面に透明電極層を設けてガ
ラスの周囲の全部又は一部を支持し、その枠体をアースして上記透明電極層間の静電容量
を検出する検出回路を備えたガラスセンサーを提案している。
【０００７】
特開２００３−１８７３３９号公報は、検知ユニットを玄関扉の屋外側に、スピーカ
ーの警戒装置本体を玄関扉の屋内側に連結部の中央片を玄関扉の上端部に載置するように
して玄関扉に取り付けることを提案している。
【特許文献１】実用新案登録第３０１８４４４号公報
【特許文献１】再公表特許ＷＯ０１／０２２３７８号公報
【特許文献１】特開２００３−１８７３３９号公報
【０００８】
しかし、これらの発明は、防犯に対処することができるが、窓枠の鍵フックの下部や
、ガラス体、扉の上端部に設置場所が限られるとともに、ときとして集合住宅では設置す
ることができない場合がある。
【発明の開示】
【発明が解決しようとする課題】
【０００９】
本発明の解決しようとする問題点は、集合住宅などで適宜の位置に簡単に貼り付けて
設置できなく、また管理組合などの許可のもとで構造を変えなくてはならなく、設置に大
いに制限される点にある。
【課題を解決するための手段】
【００１０】
本発明は、上記のような点に鑑みたもので、上記の課題を解決するために、薄いシー
ト状のスピーカーの表面側に防犯や警告、広告の表示等を表示するとともに、裏面側に両
面装着テープまたは粘着剤を配設して防犯が必要なドアーや窓等の建物の開閉部や広告が
必要な広告部等に貼り付けて設置するようにしたことを特徴とするシート状防犯等の警告
装置を提供するものである。
【００１１】
また、薄いシート状のスピーカーの裏面側にスポンジや発泡シートの通気性シートを
取り付けて建物の開閉部や広告板の広告部等に貼り付けて設置するシート状防犯等の警告
装置を提供するものである。
【００１２】
また、薄いシート状のスピーカーの裏面側に所定の空洞部を設けて支持材を取り付け
て建物の開閉部や広告板等の広告部等に貼り付けて設置するようにしたシート状防犯等の
警告装置を提供するものである。
【００１３】
さらに、薄いスピーカーを多重状に配設したシート状防犯等の警告装置を提供するも
のである。
【００１４】
またさらに、ドアーや窓等の開閉部、広告部の標識等に検知センサーや感知センサー
等のセンサーを配設し、このセンサーの検出で上記スピーカーを作動してサイレン等の警
報や音声等を発生させるようにしたシート状防犯等の警告装置を提供するものである。
【発明の効果】
【００１５】
本発明のシート状防犯等の警告装置は、薄いシート状のスピーカーの表面側に防犯や
警告、広告の表示等を表示することによって、装置を薄状のシート状にしてスピーカーに
よる警報、広告等ができるものである。そして、裏面側に両面装着テープまたは粘着剤を
配設して防犯が必要なドアーや窓等の建物の開閉部や広告が必要な広告部等に貼り付けて
設置するようにしたことによって、上記したスピーカーで警報できる装置を防犯が必要な
ドアーや窓等、広告が必要な広告部等に両面接着テープ、粘着剤を介して簡単に貼り付け
て設置することができる。
【００１６】
また、薄いシート状のスピーカー裏面側にスポンジや発泡シートの通気性シートを取
り付けて建物の開閉部や広告板の広告部等に貼り付けて設置するようにしたことによって
、上記スピーカーと設置面との間に通気空間が設けられて空気の振動を阻害するのを防止
でき、上記装置を薄状の状態でスピーカーのもつ性能をより効率よく発揮するようにでき
る。
【００１７】
また、薄いシート状のスピーカーの裏面側に所定の空洞部を設けて支持材を取り付け
て建物の開閉部や広告板等の広告部等に貼り付けて設置することによって、シート状のス
ピーカーの振動を効果的にできて、空気に振動をよりよく伝達でき、音量を大きくできる
。
【００１８】
さらに、薄いスピーカーを多重状に配設することによって、アンプで調音された多種
類の共鳴音源を前後のスピーカーから出力でき、共鳴がなされて音圧レベルを大幅に向上
できる。
【００１９】
またさらに、ドアーや窓等の開閉部、広告部の標識等に検知センサーや感知センサー
等のセンサーを配設し、このセンサーの検出で上記スピーカーを作動してサイレン等の警
報や音声等を発生させるようにしたことによって、侵入者がドアーや窓等の開閉部を開い
たり、広告部等に位置すると、センサーで検出して上記のスピーカーを作動してサイレン
を発したり、案内情報を発するようにして防犯や宣伝、広告が行える。
【発明を実施するための最良の形態】
【００２０】
また、本発明のシート状防犯等の警告装置は、薄いシート状のスピーカーの表面側に
防犯や警告、広告の表示等を表示するとともに、裏面側に両面装着テープまたは粘着剤を
配設して防犯が必要なドアーや窓等の建物の開閉部や広告が必要な広告部等に貼り付けて
設置するようにしたことを特徴としている。
【００２１】
防犯等の警告装置１は、図１のように０．０４〜０．５ｍｍ厚のステッカーの大きさ
位の薄いシート状のスピーカー２の表面側に防犯や警告、広告等の表示３を直接又は表示
用シート４を介して表示するようにし、裏面側に通気性や防水性の両面接着テープ５を貼
着したり、粘着剤を適度の間隔で塗布して１〜３ｍｍ厚さのスポンジや発泡スチロールの
発泡シート等の通気性シート６を貼り付け、さらに両面接着テープ７を貼り付けたりして
、建物のドアーや窓等の開閉部８や、広告が必要な広告部、その他立入禁止の標識部等に
簡単に貼り付けて設置できるようにしている。
【００２２】
上記薄いシート状のスピーカー２としては、サウンドフィルム（商品名）などとして
市販され、図２のようにフィルム９の両面に導電性高分子１０、１１を塗布したりしてこ
れらを電極として通電することで、その電気エネルギーをフィルム９の振動エネルギーに
変換してサイレンや音声等を発生するようにしているものを使用できる。
【００２３】
しかし、上記シート状のスピーカー２をそのままの状態でドアーや窓等の設置面に貼
り付けると、スピーカー２のフィルム９の振動が阻害され、音量が著しく小さくなって実
用的とならなかった。
【００２４】
そこで、上記したようにスポンジや発泡シート等の通気性シート６を介挿して貼り付
けるようにすると、スピーカー２と設置面との間に通気空間が設けられて空気の振動を阻
害するのを防止でき、上記装置を薄状の状態でスピーカー２のもつ性能をより効率よく発
揮することができ、音量を２０〜３０％増大でき、音質も向上できる。
【００２５】
上記防犯等の警告装置１は、図３のように建物のドアーの開閉部８や、図４のように
窓の開閉部８の所要の設置面に両面接着テープ７で容易に貼り付けて設置することができ
る。
【００２６】
なお、これらの防犯等の警告装置１には、侵入者がドアーや窓等の開閉部８を開いた
り、広告部の標識等に位置すると、センサー１２で検出し、上記のスピーカー２を作動し
てサイレンを発したり、案内情報を発するように所要の制御器１３を接続して防犯や宣伝
、広告が行える。必要により、コードレスとすることもできる。
【００２７】
上記センサー１２としては、マイクロスイッチや振動センサー等の機械式のもの、マ
グネットセンサーや近接リミットセンサー等の電気式のもの、赤外線センサー等の光線式
のものなど、設置場所に対応して適宜のものを採択することができる。
【００２８】
また、図５のように上記したスピーカー２の表面側にＥＬシート１４を貼り付けて図
のように所要の表示や発光させたりすることが容易に行え、ドアーや窓部等の美感を損な
うことなく、サイレン等を発生するようにできる。また、スピーカー２とＥＬシート１４
を一体化させることもできる。
【００２９】
また、図６のように上記防犯等の警告装置１の表面側（必要により側周部を含められ
る）に空気を通過するが水分を外側から内側に通過させない半通過性の防水シート１５を
貼り付けて、この防水シート１５に警報表示等の表示３を施すこともできる。このように
すると、装置に雨水等がかかっても、防水作用を発揮するようにできて装置を侵水から保
護できて耐久化がはかれる。
【００３０】
またさらに、図７のようにスピーカー２の裏面側に大きく空洞部１６を設けるように
１〜３ｍｍ厚さの矩形状枠の支持材１７を貼り付け、所要の設置面に両面接着テープ等を
介して貼りつけるようにすることもできる。こうすると、空洞部１６によってシート状の
スピーカーの振動を効果的にできて、空気に振動をよりよく伝達でき、音量を大きくでき
て好ましい。
【００３１】
上記したスピーカー２の裏面側には、図８（ａ）、（ｂ）のような両側だけの支持材
１７としたり、中央部に十字状等の中間材１８を設けて補強するなど、本発明の趣旨の範
囲に適宜の変形態様を実施できる。
【００３２】
さらに、図９のように上記したシート状のスピーカー２を２重状ないし多重状に重ね
合わせ、アンプで調音された多種類の共鳴音源を前後のスピーカーから出力でき、共鳴が
なされて音圧レベルを大幅に向上するようにできる。２重位が実用的である。
【００３３】
なお、上記スピーカー２の表面に直接に警報表示等の印刷をすることもできるととも
に、サイレンの他に柔らかなメロディを発生させることも可能であり、またこれらの装置
１は上記の他、ポスター等の広告、立入禁止区域の標示部への設置など、本発明の趣旨に
もとづいて広く利用することができる。
【実施例】
【００３４】
図１〜図４は、本発明の一実施例を示すものである。シート状防犯等の警告装置１を
縦１０ｃｍ、横２５ｃｍの大きさに形成し、２ｍｍ厚さの発泡スチロールの通気性シート
６を貼着したものを、図３のように集合住宅のドアーの開閉部８に両面接着テープ７を介
して貼り付け、マイクロスイッチのセンサー１２に所要のシート状の電池（図示せず）を
配設した制御器１３を薄いケーブル（図示せず）を介してスピーカー２に接続した。
【００３５】
そして、ドアーを開閉して試験した結果、スピーカー２を直接にドアーにはりつけ場
合に比べて３０％以上の音量のサイレンの警報を発することができ、しかも音質も向上で
きた。
【００３６】
なお、図４のように窓ガラスにも容易に貼り付けて設置でき、また図５のようにＥＬ
シート１４をスピーカー２に貼り付けて警報等を表示することもできる。特に、図６のよ
うに装置１の外面に上記したように防水シート１５を貼り付けて使用するのが、雨水等の
侵水から保護できて好ましい。
【００３７】
また、図７、図８（ａ）、（ｂ）のようにスピーカー２の裏面側に１〜３ｍｍ深さの
空洞部１６を設けると、シート状のスピーカーの振動を効果的にできて、空気に振動をよ
りよく伝達でき、音量を大きくできる。
【００３８】
またさらに、図９のようにスピーカー２を２重状に重ね合わせると、アンプで調音さ
れた多種類の共鳴音源を前後のスピーカーから出力でき、共鳴がなされて音圧レベルを大
幅に向上できる。
【図面の簡単な説明】
【００３９】
【図１】本発明の一実施例の構成説明用側面図、
【図２】同上のスピーカーの一部拡大した説明用側断面図、
【図３】同上の使用例の説明図、
【図４】同上の他の使用例の説明図、
【図５】同上の他の実施例の説明図、
【図６】同上のさらに他の実施例の説明図、
【図７】同上のさらに他の実施例の背面図（ａ）と側面図（ｂ）、
【図８】同上のさらに他の実施例の背面図（ａ）、（ｂ）、
【図６】同上のさらに他の実施例の側面図（ａ）と正面図。
【符号の説明】
【００４０】
１…シート状防犯等の警告装置      ２…スピーカー      ３…表示
５…両面接着テープ                ６…通気性シート    ７…両面接着テープ
８…開閉部                      １６…空洞部        １７…支持材
【図１】
2005157947.tif 000003
【図２】
2005157947.tif 000004
【図３】
2005157947.tif 000005
【図４】
2005157947.tif 000006
【図５】
2005157947.tif 000007
【図６】
2005157947.tif 000008
【図７】
2005157947.tif 000009
【図８】
2005157947.tif 000010
【図９】
2005157947.tif 000011
【手続補正書】
【提出日】平成15年12月12日(2003.12.12)
【手続補正１】
【補正対象書類名】明細書
【補正対象項目名】００３９
【補正方法】変更
【補正の内容】
【００３９】
【図１】本発明の一実施例の構成説明用側面図、
【図２】同上のスピーカーの一部拡大した説明用側断面図、
【図３】同上の使用例の説明図、
【図４】同上の他の使用例の説明図、
【図５】同上の他の実施例の説明図、
【図６】同上のさらに他の実施例の説明図、
【図７】同上のさらに他の実施例の背面図（ａ）と側面図（ｂ）、
【図８】同上のさらに他の実施例の背面図（ａ）、（ｂ）、
【図９】同上のさらに他の実施例の側面図（ａ）と正面図。